(57)【要約】【課題】絶縁導体を収納するケース（函体）を長尺の絶縁導体に取り付ける際に、組立が容易で、絶縁導体への損傷を軽減することができる組立式バスダクトおよびバスダクト用函体を提供する。【解決手段】平らな底面部と、底面部と直角に一体的に形成された下部垂直面部と、下部垂直面部に設けられた下側嵌合部と、底面部の長手方向の一方の端部に接続された平らな板材からなる接続用下側板材とを備えた下板部材と、平らな上面部と、上面部と直角に一体的に形成された上部垂直面部と、上部垂直面部の下側嵌合部に対応する部位に設けられた上側嵌合部と、上面部および上部垂直面部の長手方向の一方の端部の外表面に接続された断面コの字形の接続用上側板材とを備えた上板部材とからなり、下板部材および上板部材が対向して組み合わされ、下板部材の下部垂直面部の外表面に上板部材の上部垂直面部の内表面が重ね合わされて組み立てられるバスダクト用函体。【選択図】図１
2011176960.tif 000002
【特許請求の範囲】
【請求項１】
平らな底面部と、前記底面部の両側端部に前記底面部と直角に一体的に上方に向かって形成された下部垂直面部と、前記下部垂直面部のそれぞれの長手方向の両端部に設けられた下側嵌合部と、前記底面部の長手方向の一方の端部の外表面に接続された平らな板材からなる接続用下側板材とを備えた下板部材と、
平らな上面部と、前記上面部の両側端部に前記上面部と直角に一体的に下方に向かって形成された上部垂直面部と、前記上部垂直面部のそれぞれの長手方向の両端部の前記下側嵌合部に対応する部位に設けられた上側嵌合部と、前記上面部および前記上部垂直面部の長手方向の一方の端部の外表面に接続された断面コの字形の接続用上側板材とを備えた上板部材とからなり、
前記下板部材および前記上板部材が対向して組み合わされ、前記下板部材の前記下部垂直面部の外表面に前記上板部材の前記上部垂直面部の内表面が重ね合わされて組み立てられるバスダクト用函体。
【請求項２】
前記下側嵌合部が、内側に向かって突出して形成された下部凹部からなっており、前記上側嵌合部が、内側に向かって突出して形成され、前記下部凹部と嵌合する上部凹部からなっていることを特徴とする、請求項１に記載のバスダクト用函体。
【請求項３】
前記下側嵌合部が、開口部からなっており、前記上側嵌合部が、内側に向かって突出して形成され、前記開口部と嵌合する上部凹部からなっていることを特徴とする、請求項１に記載のバスダクト用函体。
【請求項４】
内部に複数の導体を収容する組立式バスダクトであって、平らな底面部と、前記底面部の両側端部に前記底面部と直角に一体的に上方に向かって形成された下部垂直面部と、前記下部垂直面部のそれぞれの長手方向の両端部に設けられた下側嵌合部と、前記底面部の長手方向の一方の端部の外表面に接続された平らな板材からなる接続用下側板材とを備えた下板部材と、
平らな上面部と、前記上面部の両側端部に前記上面部と直角に一体的に下方に向かって形成された上部垂直面部と、前記上部垂直面部のそれぞれの長手方向の両端部の前記下側嵌合部に対応する部位に設けられた上側嵌合部と、前記上面部および前記上部垂直面部の長手方向の一方の端部の外表面に接続された断面コの字形の接続用上側板材とを備えた上板部材とからなり、
前記下板部材および前記上板部材が対向して組み合わされ、前記下板部材の前記下部垂直面部の外表面に前記上板部材の前記上部垂直面部の内表面が重ね合わされて組み立てられるバスダクト用函体を備えていることを特徴とする組立式バスダクト。
【請求項５】
１つの組立式バスダクトの組み合わされた前記接続用下側板材および前記接続用上側板材によって形成された接続部が遊び部を備え、前記接続用下側板材および前記接続用上側板材の内側に、他の１つの組立式バスダクトの組み合わされた端部が、所定の角度で屈折可能に接続されることを特徴とする、請求項４に記載の組立式バスダクト。
【請求項６】
平らな底面部と、前記底面部の両側端部に前記底面部と直角に一体的に上方に向かって形成された下部垂直面部と、前記下部垂直面部のそれぞれの長手方向の両端部に設けられ、内側に向かって突出して形成された下部突起部と、前記底面部の長手方向の一方の端部の外表面に接続された平らな板材からなる接続用下側板材とを備えた下板部材と、
平らな上面部と、前記上面部の両側端部に前記上面部と直角に一体的に下方に向かって形成された上部垂直面部と、上部垂直面部のそれぞれの下端部に前記上面部と並行に一体的に形成された平らな側部と、前記平らな側部の外側端部に前記上部垂直面部と並行に一体的に上方に向かって形成された側部垂直面部と、前記上面部の長手方向の一方の端部の外表面に接続された断面コの字形の接続用上側板材とを備えた上板部材とからなり、
前記下板部材および前記上板部材が対向して組み合わされ、前記下板部材の上に、前記上板部材の前記平らな側部が載置され、前記上板部材の断面コの字形の接続用上側板材の垂直な部分の内表面と、前記下板部材の下部垂直面部の外表面と重ね合わされて組み立てられるバスダクト用函体。
【請求項７】
前記下板部材に前記上板部材を載置した後、前記下部突起部が、前記上板部材の側部垂直面部の上方への移動を阻止するストッパとして機能することを特徴とする、請求項６に記載のバスダクト用函体。
【請求項８】
内部に複数の導体を収容する組立式バスダクトであって、平らな底面部と、前記底面部の両側端部に前記底面部と直角に一体的に上方に向かって形成された下部垂直面部と、前記下部垂直面部のそれぞれの長手方向の両端部に設けられ、内側に向かって突出して形成された下部突起部と、前記底面部の長手方向の一方の端部の外表面に接続された平らな板材からなる接続用下側板材とを備えた下板部材と、
平らな上面部と、前記上面部の両側端部に前記上面部と直角に一体的に下方に向かって形成された上部垂直面部と、上部垂直面部のそれぞれの下端部に前記上面部と並行に一体的に形成された平らな側部と、前記平らな側部の外側端部に前記上部垂直面部と並行に一体的に上方に向かって形成された側部垂直面部と、前記上面部の長手方向の一方の端部の外表面に接続された断面コの字形の接続用上側板材とを備えた上板部材とからなり、
前記下板部材および前記上板部材が対向して組み合わされ、前記下板部材の上に、前記上板部材の前記平らな側部が載置され、前記上板部材の断面コの字形の接続用上側板材の垂直な部分の内表面と、前記下板部材の下部垂直面部の外表面と重ね合わされて組み立てられるバスダクト用函体を備えることを特徴とする組立式バスダクト。
【請求項９】
組み合わされた前記接続用下側板材および前記接続用上側板材によって形成された接続部が遊び部を備え、前記接続部に前記端部が屈折可能に接続されることを特徴とする請求項８に記載の組立式バスダクト。
【発明の詳細な説明】
【技術分野】
【０００１】
この発明は、電力供給幹線または配電用幹線として使用されるバスダクトおよびバスダクト用函体に関する。
【背景技術】
【０００２】
バスダクトはビル、工場等の電力供給幹線または配電用幹線として使用され、銅、アルミニウム等の帯状導体を絶縁物で被覆したものを、鉄またはアルミニウム等で作製された箱状のケース（函体）に収納したものである。
【０００３】
バスダクトの布設に際しては、先ず、長尺の絶縁導体を現場で所定の長さに布設し、その後、布設した絶縁導体を囲むように鉄またはアルミニウム製のケース（函体）を取り付けて、所定の長さにわたってバスダクトを布設する。ケース（函体）は通常３ｍの長さのユニットとして形成され、所望の長さの絶縁導体をカバーするためには、現場で、ケース（函体）同士を所望の数だけ組み合わせている。ケース（函体）同士の組立は、ケース（函体）同士を突合せて、付き合わせた部分にボルト止めによる固定バンドを取り付けて、ケース（函体）同士を組立ている。また、従来、ケース（函体）同士の組立は、直線的に行われていた。
【０００４】
図１３は、従来のバスダクト用函体の接続を説明する図である。バスダクト用函体を形成する上板部材１０３と下板部材１０２の外周部を覆うように帯状部材１０４を所定間隔で配置し、帯状部材の端部に形成された孔部を重ね合わせて、ネジによって固定している。バスダクト用函体の一方の端部には、幅広の別の帯状部材１１９が配置されて、バスダクト用函体同士を接続している。
【先行技術文献】
【特許文献】
【０００５】
【特許文献１】特開２０００−７８７２９号公報
【発明の概要】
【発明が解決しようとする課題】
【０００６】
上述したように、バスダクトの導体を覆うケース（函体）を固定するためには、３ｍの長さのユニットで７箇所の固定バンドを取り付ける必要があり、現場での施工では非常に手間がかかる。また、ケース（函体）の端部は、接続に際してケース（函体）同士を突合せするため、継ぎ目が生じ、継ぎ目にも上述した固定バンドを取り付ける必要があった。従来、ケース（函体）同士の組立は、直線的に行われていて、屈曲した布設は困難であった。
【０００７】
従って、この発明の目的は、絶縁導体を収納するケース（函体）を長尺の絶縁導体に取り付ける際に、組立が容易で、絶縁導体への損傷を軽減することができる組立式バスダクトおよびバスダクト用函体を提供することにある。
【課題を解決するための手段】
【０００８】
発明者は従来の問題点を解決するため、鋭意研究を重ねた。その結果、それぞれ断面コの字形の下板部材および上板部材を対向して組み合わせ、それぞれの垂直面部に設けた凹部を嵌合させることによって、ワンタッチ式の嵌合式のバスダクト用函体を形成することができ、更に、バスダクト用函体の一方の端部に他方の端部が嵌合する型式の接続部を設けると、複数組の短尺のバスダクト用函体同士を組み合わせて、所望の長さの組立式バスダクトを形成することができることが判明した。この発明は上述した研究結果に基づいてなされたものである。
【０００９】
この発明のバスダクト用函体の第１の態様は、平らな底面部と、前記底面部の両側端部に前記底面部と直角に一体的に上方に向かって形成された下部垂直面部と、前記下部垂直面部のそれぞれの長手方向の両端部に設けられた下側嵌合部と、前記底面部の長手方向の一方の端部の外表面に接続された平らな板材からなる接続用下側板材とを備えた下板部材と、平らな上面部と、前記上面部の両側端部に前記上面部と直角に一体的に下方に向かって形成された上部垂直面部と、前記上部垂直面部のそれぞれの長手方向の両端部の前記下側嵌合部に対応する部位に設けられた上側嵌合部と、前記上面部および前記上部垂直面部の長手方向の一方の端部の外表面に接続された断面コの字形の接続用上側板材とを備えた上板部材とからなり、前記下板部材および前記上板部材が対向して組み合わされ、前記下板部材の前記下部垂直面部の外表面に前記上板部材の前記上部垂直面部の内表面が重ね合わされて組み立てられるバスダクト用函体である。
【００１０】
この発明のバスダクト用函体の第２の態様は、前記下側嵌合部が、内側に向かって突出して形成された下部凹部からなっており、前記上側嵌合部が、内側に向かって突出して形成され、前記下部凹部と嵌合する上部凹部からなっていることを特徴とする、バスダクト用函体である。
【００１１】
この発明のバスダクト用函体の第３の態様は、前記下側嵌合部が、開口部からなっており、前記上側嵌合部が、内側に向かって突出して形成され、前記開口部と嵌合する上部凹部からなっていることを特徴とする、バスダクト用函体である。
【００１２】
この発明の組立式バスダクトの第１の態様は、内部に複数の導体を収容する組立式バスダクトであって、平らな底面部と、前記底面部の両側端部に前記底面部と直角に一体的に上方に向かって形成された下部垂直面部と、前記下部垂直面部のそれぞれの長手方向の両端部に設けられた下側嵌合部と、前記底面部の長手方向の一方の端部の外表面に接続された平らな板材からなる接続用下側板材とを備えた下板部材と、平らな上面部と、前記上面部の両側端部に前記上面部と直角に一体的に下方に向かって形成された上部垂直面部と、前記上部垂直面部のそれぞれの長手方向の両端部の前記下側嵌合部に対応する部位に設けられた上側嵌合部と、前記上面部および前記上部垂直面部の長手方向の一方の端部の外表面に接続された断面コの字形の接続用上側板材とを備えた上板部材とからなり、前記下板部材および前記上板部材が対向して組み合わされ、前記下板部材の前記下部垂直面部の外表面に前記上板部材の前記上部垂直面部の内表面が重ね合わされて組み立てられるバスダクト用函体を備えていることを特徴とする組立式バスダクトである。
【００１３】
この発明の組立式バスダクトの第２の態様は、１つの組立式バスダクトの組み合わされた前記接続用下側板材および前記接続用上側板材によって形成された接続部が遊び部を備え、前記接続用下側板材および前記接続用上側板材の内側に、他の１つの組立式バスダクトの組み合わされた端部が、所定の角度で屈折可能に接続されることを特徴とする、組立式バスダクトである。
【００１４】
この発明のバスダクト用函体の他の態様は、平らな底面部と、前記底面部の両側端部に前記底面部と直角に一体的に上方に向かって形成された下部垂直面部と、前記下部垂直面部のそれぞれの長手方向の両端部に設けられ、内側に向かって突出して形成された下部突起部と、前記底面部の長手方向の一方の端部の外表面に接続された平らな板材からなる接続用下側板材とを備えた下板部材と、平らな上面部と、前記上面部の両側端部に前記上面部と直角に一体的に下方に向かって形成された上部垂直面部と、上部垂直面部のそれぞれの下端部に前記上面部と並行に一体的に形成された平らな側部と、前記平らな側部の外側端部に前記上部垂直面部と並行に一体的に上方に向かって形成された側部垂直面部と、前記上面部の長手方向の一方の端部の外表面に接続された断面コの字形の接続用上側板材とを備えた上板部材とからなり、前記下板部材および前記上板部材が対向して組み合わされ、前記下板部材の上に、前記上板部材の前記平らな側部が載置され、前記上板部材の断面コの字形の接続用上側板材の垂直な部分の内表面と、前記下板部材の下部垂直面部の外表面と重ね合わされて組み立てられるバスダクト用函体である。
【００１５】
この発明のバスダクト用函体の他の態様は、前記下板部材に前記上板部材を載置した後、前記下部突起部が、前記上板部材の側部垂直面部の上方への移動を阻止するストッパとして機能することを特徴とする、バスダクト用函体である。
【００１６】
この発明の組立式バスダクトの他の態様は、内部に複数の導体を収容する組立式バスダクトであって、平らな底面部と、前記底面部の両側端部に前記底面部と直角に一体的に上方に向かって形成された下部垂直面部と、前記下部垂直面部のそれぞれの長手方向の両端部に設けられ、内側に向かって突出して形成された下部突起部と、前記底面部の長手方向の一方の端部の外表面に接続された平らな板材からなる接続用下側板材とを備えた下板部材と、平らな上面部と、前記上面部の両側端部に前記上面部と直角に一体的に下方に向かって形成された上部垂直面部と、上部垂直面部のそれぞれの下端部に前記上面部と並行に一体的に形成された平らな側部と、前記平らな側部の外側端部に前記上部垂直面部と並行に一体的に上方に向かって形成された側部垂直面部と、前記上面部の長手方向の一方の端部の外表面に接続された断面コの字形の接続用上側板材とを備えた上板部材とからなり、前記下板部材および前記上板部材が対向して組み合わされ、前記下板部材の上に、前記上板部材の前記平らな側部が載置され、前記上板部材の断面コの字形の接続用上側板材の垂直な部分の内表面と、前記下板部材の下部垂直面部の外表面と重ね合わされて組み立てられるバスダクト用函体を備えることを特徴とする組立式バスダクトである。
【発明の効果】
【００１７】
この発明のバスダクト用函体によると、嵌合方式のため、煩わしいボルト締めによる固定バンドの取り付けの必要がなく、現場での作業が容易になる。即ち、それぞれ断面コの字形の下板部材および上板部材を対向して組み合わせ、それぞれの垂直面部に設けた凹部を嵌合させることによって、ワンタッチ式の嵌合式のバスダクト用函体を形成することができ、更に、バスダクト用函体の一方の端部に他方の端部が嵌合する型式の接続部を設けると、複数組の短尺のバスダクト用函体同士を組み合わせて、所望の長さの組立式バスダクトを形成することができる。
【００１８】
この発明によると、バスダクト用函体の接続部には、若干のあそびを備えて、他のバスダクト用函体の端部が挿入されるので、接続部の断面矩形の空洞部の大きさを調整することによって、バスダクト用函体同士の接続が、直線的でなく、所定の角度で屈折して接続することが可能になり、複数のバスダクト用函体同士を多角形状の断面に沿って概ね湾曲して接続することができる。
【図面の簡単な説明】
【００１９】
【図１】図１は、この発明のバスダクト用函体を説明する分解図である。
【図２】図２は、下板部材および上板部材が対向して組み合わされて形成されたバスダクト用函体を示す斜視図である。
【図３】図３は、重ね合わされた下側嵌合部および上側嵌合部の詳細を示す断面図である。
【図４】図４は、図２に示すバスダクト用函体１の接続部を説明する部分斜視図である。
【図５】図５は、２つのバスダクト用函体１を屈曲して接続する状態を説明する、下板部材の底面部と平行な面に沿った長手方向断面図である。
【図６】図６は、図２に示すバスダクト用函体を別の角度から見た斜視図である。
【図７】図７は、この発明の他の態様のバスダクト用函体を説明する分解図である。
【図８】図８は、下板部材および上板部材が対向して組み合わされて形成されたバスダクト用函体を示す斜視図である。
【図９】図９は、図８に示すバスダクト用函体を別の角度から見た斜視図である。
【図１０】図１０は、図７から図９を参照して説明した態様と別の態様のバスダクト用函体を説明する図である。
【図１１】図１１は、図１および２を参照して説明した態様のバスダクト用函体を２つ接続した状態を説明する図である。
【図１２】図１２は、図１０を参照して説明した態様のバスダクト用函体を２つ接続した状態を説明する図である。
【図１３】図１３は、従来のバスダクト用函体の接続を説明する図である。
【発明を実施するための形態】
【００２０】
この発明のこの発明の組立式バスダクトおよびバスダクト用函体を、図面を参照しながら説明する。
図１は、この発明のバスダクト用函体を説明する分解図である。この発明のバスダクト用函体１は、下板部材２と、上板部材３とからなっており、下板部材２および上板部材３が対向して組み合わされて形成される。
【００２１】
下板部材２は、平らな底面部５と、底面部５の両側端部に底面部５と直角に一体的に上方に向かって形成された下部垂直面部６と、下部垂直面部６のそれぞれの長手方向の両端部に設けられた下側嵌合部７と、底面部５の長手方向の一方の端部の外表面に接続された平らな板材からなる接続用下側板材８とを備えている。
【００２２】
下板部材２と対向して組み合わされる上板部材３は、平らな上面部９と、上面部９の両側端部に上面部９と直角に一体的に下方に向かって形成された上部垂直面部１０と、上部垂直面部１０のそれぞれの長手方向の両端部の、上述した下板部材３の下側嵌合部７に対応する部位に設けられた上側嵌合部１１と、上面部９および上部垂直面部９の長手方向の一方の端部の外表面に接続された断面コの字形の接続用上側板材１２とを備えている。
【００２３】
即ち、上述した下板部材２の平らな底面部５と上板部材３の平らな上面部９とは概ね同じ大きさ（長さ・幅）であり、下板部材２の下部垂直面部６と、上板部材３の上部垂直面部１０は概ね同じ大きさ（高さ・長さ・幅）である。
【００２４】
図２は、下板部材２および上板部材３が対向して組み合わされて形成されたバスダクト用函体１を示す斜視図である。即ち、図１を参照して説明した下板部材２および上板部材３が対向して組み合わされ、下板部材２の下部垂直面部６の外表面に上板部材３の上部垂直面部１０の内表面が重ね合わされて組み立てられたバスダクト用函体１である。
【００２５】
上述した下側嵌合部７は、例えば、下部垂直面部６の長手方向の両端部の一部が内側に向かって突出して形成された下部凹部からなっている。更に、上述した上側嵌合部１１は、例えば、上部垂直面部１０の長手方向の両端部の一部が内側に向かって突出して形成された上部凹部からなっている。上側嵌合部１１である上部凹部は、下側嵌合部７である下部凹部に対応する部位に設けられ、上部凹部と下部凹部に重なるようにして組み立てられる。上述した下側嵌合部が、開口部（例えば、矩形）からなっており、上述した上側嵌合部が、内側に向かって突出して形成され、開口部と嵌合する上部凹部からなっていてもよい。
【００２６】
図３は、重ね合わされた下側嵌合部７および上側嵌合部１１の詳細を示す断面図である。図３に示すように、上部垂直面部１０の上部凹部１１と、下部垂直面部６の下部凹部７とは、同じ方向に向かって、断面が概ね半楕円形状に突き出るように加工されて、上部凹部１１と下部凹部７が重なり合って固定されている。このような上部凹部１１と下部凹部７が４箇所設けられている。このように少なくとも４箇所に嵌合部が設けられていることで、下板部材２および上板部材３で形成された空間に配置される導体（図示しない）が、熱により膨張した場合であっても、下板部材２と上板部材３の接合が外れることがなく、強固で信頼性の高い接合を実現することが可能となる。
【００２７】
下板部材２、上板部材３を組立てた時の幅、高さおよび長さの一例は次の通りである。幅に関しては、内部に収容する導体の幅が１５０ｍｍの場合、バスダクトの幅は１６５ｍｍ程度であり、高さに関しては、内部に収容する導体の高さが６ｍｍで３枚の導体を収容する場合、バスダクトの高さは、３０ｍｍ程度であり、長さに関しては、従来は３ｍであったのが、本発明では概ね４００ｍｍ程度である。
【００２８】
嵌合部のサイズに関しては、両端に設ける嵌合部は、２００ｍｍ以下(バスダクト長さ方向の約半分以下)離して設けることが好ましい。このように２００ｍｍ以下離して設けることによって、バスダクトを組立てたときの接続強度が向上する。接続強度を考慮して、嵌合部のサイズは以下が好ましい。即ち、嵌合部のサイズ(ダボの場合)：１０ｍｍ×３０ｍｍ×深さ５ｍｍ程度が好ましい。嵌合部のサイズ(孔の場合)：１０ｍｍ×３０ｍｍ程度が好ましい。
【００２９】
図４は、図２に示すバスダクト用函体１の接続部を説明する部分斜視図である。バスダクト用函体１の接続部１５は、接続用下側板材８と断面コの字形の接続用上側板材１２とを組み合わせて形成される断面矩形の空洞部である。接続部１５に、バスダクト用函体１の接続部１５と反対側の端部が挿入されて、バスダクト用函体１同士が接続される。
【００３０】
図４に示すように、平らな上面１６と平らな上面１６の両端部から垂直に一体的に下方に延びる垂直面１３とからなる断面コの字形の接続用上側板材１２と、平らな板材からなる接続用下側板材８とが組み合わされて断面矩形の空洞部を形成している。接続用下側板材８の幅方向の両端部が、接続用上側板材１２の垂直面１３の下端部を支持している。
【００３１】
このように組み合わされて形成された接続部１５の内部には、下板部材２の一方の端部（図２では左側の端部）である平らな底面部５と下部垂直面部６とによって形成される角部と、下部垂直面部６を外側から密着して覆う上板部材３の上部垂直面部１０が位置している。接続部１５の断面矩形の空洞部には、下板部材２と上板部材３が組み合わされた端部が挿入されて、バスダクト用函体１同士が接続される。
【００３２】
図５は、２つのバスダクト用函体１を屈曲して接続する状態を説明する、下板部材の底面部と平行な面に沿った長手方向断面図である。図５に示すように、バスダクト用函体１の接続部１５の上下に若干の遊び部３７を備えて、下板部材２と上板部材３が組み合わされた端部が挿入されている。即ち、接続用上側板材１２の垂直な両端面に挟まれた平らな板材からなる接続用下側板材８の上に、下板部材２の底面部５と両側の重ね合わされた下部垂直面部６と上部垂直面部１０が遊び部３７を備えて載置されている。このように接続部１５の断面矩形の空洞部の大きさを調整し遊び部３７を形成することで、バスダクト用函体１同士の接続が、直線的でなく、所定の角度θで屈折して接続することが可能になり、複数のバスダクト用函体１同士を多角形状の断面に沿って概ね湾曲して接続することができる。上述したように、接続部に遊び部を形成し、遊び部があることで、端部を屈折可能に接続することができる。
【００３３】
図６は、図２に示すバスダクト用函体を別の角度から見た斜視図であり、上面部９の一端側中央部に窪み部３５が形成され、接続用上側板材１２の内側中央部に突起部３６が形成されている。接続用上側板材１２と、接続用下側板材８とが組み合わされて形成された断面矩形の空洞部に、下板部材２と上板部材３が組み合わされた端部が挿入される際、窪み部３５に突起部３６が嵌合することで、バスダクト用函体１同士の接続確認を容易に実現するとともに、接続強度も高くすることが可能となる。さらに、窪み部３５、突起部３６の長手方向断面を半円形状とすることで、バスダクト用函体１同士を屈折させて接続する際、スムーズな接続を実現することが可能となる。なお、上述した態様においては、窪み部３５、突起部３６は上面に設けられているが、下面に設けてもよいし、側面に設けてもよい。
【００３４】
図７は、この発明の他の態様のバスダクト用函体１を説明する分解図である。この態様のバスダクト用函体１も、図１および図２を参照して説明した態様と同様に、下板部材２０と、上板部材３０とからなっており、下板部材２０および上板部材３０が対向して組み合わされて形成される。
【００３５】
下板部材２０は、平らな底面部２５と、底面部２５の幅方向の両側端部に底面部２５と直角に一体的に上方に向かって形成された下部垂直面部２６と、下部垂直面部２６のそれぞれの長手方向の両端部に設けられ、内側に向かって突出して形成された下部突起部２７と、底面部の長手方向の一方の端部の外表面に接続された平らな板材からなる接続用下側板材２８とを備えている。
【００３６】
下板部材２０と対向して組み合わされる上板部材３０は、平らな上面部２９と、上面部２９の幅方向の両側端部に上面部２９と直角に一体的に下方に向かって形成された上部垂直面部３１と、上部垂直面部３１のそれぞれの下端部に上面部２９と並行に一体的に形成された平らな側部３３と、平らな側部３３の外側端部に上部垂直面部３１と並行に一体的に上方に向かって形成された側部垂直面部３２と、上面部の長手方向の一方の端部の外表面に接続された断面略コの字形の接続用上側板材２２とを備えている。
【００３７】
この態様のバスダクト用函体１においては、下板部材２０および上板部材３０が対向して組み合わされ、下板部材３０の上に、上板部材３０の平らな側部３３が載置される。
図８は、下板部材および上板部材が対向して組み合わされて形成されたバスダクト用函体を示す斜視図である。即ち、図７を参照して説明した下板部材２０および上板部材３０を対向して組み合わせる際に、下板部材２０の平らな底面部２５上に上板部材３０の平らな側部３３が載置され、上板部材３０の側部垂直面部３２が下板部材２０の下部垂直面部２６と相互に接して配置される。
【００３８】
このとき、下部垂直面部２６に設けられた内側に向かって突出して形成された下部突起部２７によって上板部材の側部垂直面部３２の上端部が押さえられて固定される。図に示す態様では、下部垂直面部２６は断面概ね逆Ｌ字形であるが、垂直な板材であってもよい。下板部材２０に対して上方から上板部材３０を下方に向かって概ね垂直に移動させて、下板部材２０および上板部材３０が組み合わされる。接続用下側板材２８と接続用上側板材２２とによって、接続部１５が形成され、バスダクト用函体１の接続部とは反対側の端部が接続部１５に挿着される。
【００３９】
図９は、図８に示すバスダクト用函体を別の角度から見た斜視図である。図９に示すように、下板部材２０の平らな底面部２５上に上板部材３０の平らな側部３３が載置され、上板部材３０の側部垂直面部３２が下板部材２０の下部垂直面部２６と相互に接して配置される。下部垂直面部２６に設けられた内側に向かって突出して形成された下部突起部２７によって上板部材３０の側部垂直面部３２の上端部が押さえられて、上板部材３０が下板部材２０に固定される。接続用下側板材２８と接続用上側板材２２とによって、接続部１５が形成されている。
【００４０】
このように上板部材３０を単純な断面略コの字形状ではなく、上部垂直面部３１、側部垂直面部３２、平らな側部３３を形成することで、バスダクト用函体の機械的強度が強くなり、下板部材２０および上板部材３０で形成された空間に配置される導体（図示しない）が、熱により膨張した場合であっても、下板部材２０と上板部材３０の接合が外れることがなく、強固で信頼性の高い接合を実現することが可能となる。
【００４１】
なお、この態様においても、上面部２９の一端側中央部に窪み部３５が形成され、接続用上側板材２２の内側中央部に突起部３６が形成される。接続用上側板材２２と、接続用下側板材２８とが組み合わされて形成された断面矩形の空洞部に、下板部材２０と上板部材３０が組み合わされた端部が挿入される際、窪み部３５に突起部３６が嵌合することで、バスダクト用函体１同士の接続確認を容易に実現するとともに、接続強度も高くすることが可能となる。さらに、窪み部３５、突起部３６の長手方向断面を半円形状とすることで、バスダクト用函体１同士を屈折させて接続する際、スムーズな接続を実現することが可能となる。上述したように、この態様においても、窪み部３５、突起部３６は、上面に設けられているが、下面に設けても良く、側面に設けても良い。
【００４２】
更に、この態様においても、バスダクト用函体１の接続部１５に遊び部３７を備えている。遊び部３７を備えた接続部１５には、下板部材２０と上板部材３０が組み合わされた端部が挿入される。即ち、接続用上側板材２２の垂直な両端面に挟まれた平らな板材からなる接続用下側板材２８の上に、下板部材２０の底面部２５と組み合わされた上部垂直面部３１と上面２９とが、遊び部３７を備えて載置される。このように接続部１５の断面矩形の空洞部の大きさを調整し遊び部３７を形成することで、バスダクト用函体１同士の接続が、直線的でなく、所定の角度θで屈折して接続することが可能になり、複数のバスダクト用函体１同士を多角形状の断面に沿って概ね湾曲して接続することができる。上述したように、接続部に遊び部を形成し、遊び部があることで、端部を屈折可能に接続することができる。
【００４３】
図１０は、図７から図９を参照して説明した態様と別の態様のバスダクト用函体を説明する図である。図１０に示す態様では、上板部材３０および下板部材２０を上下逆方向に配置し、上下方向ではなく、水平方向に上板部材３０を移動して、下板部材２０に嵌合する。なお、接続部を形成する接続用下側板材２８は、下板部材２０の底面部２５および下部垂直面部２６の外周面に沿って形成されている。接続部を形成する接続用上側板材２２も同様に上板部材の上面２９および上部垂直面部３１の外周面に沿って形成されている。
【００４４】
図１１は、図１および２を参照して説明した態様のバスダクト用函体をバスダクトの長手方向に２つ接続した状態を説明する図である。図１１に示すように、接続部１５の断面矩形の空洞部には、下板部材２と上板部材３が組み合わされた端部が挿入されて、バスダクト用函体１同士が接続される。
【００４５】
図１２は、図１０を参照して説明した態様のバスダクト用函体をバスダクトの長手方向に２つ接続した状態を説明する図である。図１２に示すように、接続用下側板材２８と接続用上側板材２２とを組み合わせて形成される断面矩形の空洞部である接続部１５の断面矩形の空洞部には、下板部材２０と上板部材３０が組み合わされた端部が挿入されて、バスダクト用函体１同士が接続される。なお、図１１、図１２のように、バスダクトの長手方向に複数のバスダクト用函体を接続することによって所定の長さで任意の形状をした組立式バスダクトを作製することが可能となる。
【００４６】
図１から図１２を参照して説明したバスダクト用函体の中に、絶縁体を介して導体を配置して組立式バスダクトが形成される。即ち、内部に複数の導体を収容する組立式バスダクトであって、例えば、図１を参照して説明したように、下板部材２と、上板部材３とからなり、下板部材２および上板部材３が対向して組み合わされ、下板部材２の下部垂直面部６の外表面に上板部材３の上部垂直面部１０の内表面が重ね合わされて組み立てられるバスダクト用函体１を備えている。なお、バスダクト用函体の中に配置される絶縁導体は、薄板導体を積層し、絶縁体で覆うようにした薄板積層絶縁導体で構成することで、組立式バスダクトがより屈曲し易いものとなる。
【００４７】
なお、組立式バスダクト同士の接続のために、図６に示すように、バスダクト函体１の接続部１５の内壁に突起部３６を設け、バスダクト用函体１の接続部１５と反対側の端部の外壁に突起部３６に対応する窪み部３５を設けてもよい。このように、突起部３６および窪み部３５を設けることによって、接続されたバスダクト函体１同士が外れるのを防止することができる。
【００４８】
上述したように、この発明によると、絶縁導体を収納するケース（函体）を長尺の絶縁導体に取り付ける際に、組立が容易で、絶縁導体への損傷を軽減することができる組立式バスダクトおよびバスダクト用函体を提供することができる。
【符号の説明】
【００４９】
１  バスダクト用函体
２  下板部材
３  上板部材
４  帯状部材
５  底面部
６  下部垂直面部
７  下側嵌合部、下部凹部
８  接続用下側板材
９  上面部
１０  上部垂直面部
１１  上側嵌合部、上部凹部
１２  接続用上側板材
１３  垂直面
１４  開閉可能な接続部
１５  接続部
１６  上面
１７  上側部材
１８  下側部材
１９  別の帯状部材
２４  固定部
３５  窪み部
３６  突起部
３７  遊び部
【図１】
2011176960.tif 000003
【図２】
2011176960.tif 000004
【図３】
2011176960.tif 000005
【図４】
2011176960.tif 000006
【図５】
2011176960.tif 000007
【図６】
2011176960.tif 000008
【図７】
2011176960.tif 000009
【図８】
2011176960.tif 000010
【図９】
2011176960.tif 000011
【図１０】
2011176960.tif 000012
【図１１】
2011176960.tif 000013
【図１２】
2011176960.tif 000014
【図１３】
2011176960.tif 000015